(57)【要約】【課題】出力端子に外部から過大な低周波電圧が印加されても、大きく上昇した出力電圧を迅速に規定範囲内に戻し、安定した定電圧制御を実現することである。【解決手段】出力端子Ａの出力電圧は、パルス幅変調されたＰＷＭ制御部からのＰＷＭ出力によってトランジスタＱ１がＯＮ／ＯＦＦ制御されることで、ほぼ４００Ｖに定電圧制御されている。この出力電圧は現像ローラ４に印加される。また、トランジスタＱ２にも、そのＰＷＭ出力の反転信号が入力される。感光体ドラム８から例えば１０００Ｖという過大な低周波電圧が印加されたとき、ＰＷＭ出力のＨレベルの割合は急激に高くなる。これにより、トランジスタＱ１はほとんどＯＦＦの期間が長くなる一方で、トランジスタＱ２はＯＮの期間が長くなる。よって、出力端子Ａからの電流がトランジスタＱ２を通ってグランドに速やかに逃げるため、出力電圧は急速に４００Ｖに向かって降下する。【選択図】  図１
2004282927.tif 000002
【特許請求の範囲】
【請求項１】
出力端子から出力される出力電圧の絶対値を上昇させる向きに電流が流れるように整流する整流手段と、
上記出力電圧の絶対値が規定範囲内に維持されるように該整流手段に流れる電流を制御する定電圧制御手段とを備えた定電圧電源装置において、
上記出力端子とグランドとの間を電流が流れない非導通状態と、該出力端子と該グランドとの間を電流が流れる導通状態とに切り替わるスイッチング手段と、
上記出力電圧の絶対値が規定値を上回るまでは、該スイッチング手段を非導通状態にし、上記出力電圧の絶対値が規定値を上回ったときには、該出力電圧の絶対値が許容値を下回るまで、該スイッチング手段を導通状態にする制御手段とを設けたことを特徴とする定電圧電源装置。
【請求項２】
出力端子から出力される出力電圧の絶対値を上昇させる向きに電流が流れるように整流する整流手段と、
上記出力電圧の絶対値が規定範囲内に維持されるように該整流手段に流れる電流を制御する定電圧制御手段とを備えた定電圧電源装置において、
一定時間内に上記出力端子とグランドとの間を流れる電流量の平均値を変更する電流量変更手段と、
上記出力電圧の絶対値が規定値を上回ったときから該出力電圧の絶対値が許容値を下回るまでの間における該一定時間内に流れる電流量の平均値が、該出力電圧の絶対値が該規定値を上回るまでの間の該一定時間内に流れる電流量の平均値よりも高くなるように、該電流量変更手段を制御する制御手段とを設けたことを特徴とする定電圧電源装置。
【請求項３】
請求項２の定電圧電源装置において、
上記電流量変更手段として、上記一定時間内に少なくとも１回は、上記出力端子とグランドとの間を電流が流れない非導通状態と、該出力端子と該グランドとの間を電流が流れる導通状態とに切り替わるスイッチング手段を用い、
上記制御手段は、該一定期間内における該スイッチング手段の導通状態時間の長さを変更する制御を行うことを特徴とする定電圧電源装置。
【請求項４】
請求項３の定電圧電源装置において、
上記定電圧制御手段は、上記出力電圧の絶対値に応じてパルス幅変調を行う制御部から出力されるパルス信号により上記整流手段に流れる電流をＯＮ／ＯＦＦ制御するものであり、
上記一定時間は、該パルス信号のパルス周期に相当する期間であり、
上記制御手段は、該パルス信号により上記スイッチング手段の制御を行うものであることを特徴とする定電圧電源装置。
【請求項５】
現像剤を担持して搬送する現像剤担持体と、
該現像剤担持体に対して現像バイアスを印加するための定電圧電源装置とを有する現像装置において、
上記定電圧電源装置として、請求項１、２、３又は４の定電圧電源装置を用いたことを特徴とする現像装置。
【請求項６】
像担持体と、
該像担持体上に静電潜像を形成するための潜像形成手段と、
該潜像形成手段により該像担持体上に形成された静電潜像を現像剤で現像する現像手段とを有する画像形成装置において、
上記現像手段として、請求項５の現像装置を用いたことを特徴とする画像形成装置。
【発明の詳細な説明】
【０００１】
【発明の属する技術分野】
本発明は、出力端子から出力電圧の絶対値が規定範囲内に維持されるように制御された定電圧電源装置、この定電圧電源装置を備えた現像装置、並びに、この現像装置を備えた複写機、プリンタ、ファクシミリ等の画像形成装置に関するものである。
【０００２】
【従来の技術】
この種の画像形成装置としては、電子写真方式の画像形成装置が知られている。この画像形成装置においては、例えば、感光体等の潜像担持体表面を一様に帯電し、次いで、その一様帯電された潜像担持体表面のうちトナーを付着させない部分の電位を０Ｖに近づけることで静電潜像を形成する。この静電潜像を現像（可視像化）する場合、現像ローラ等の現像剤担持体上に担持された現像剤を、現像剤担持体と潜像担持体とが対向する現像領域に搬送する。そして、この現像領域に現像電界を形成し、現像剤担持体上に担持されている現像剤中のトナーを潜像担持体上の静電潜像に付着させることで、潜像担持体上にトナー像を形成する。このような画像形成装置では、現像時において、一様に帯電された潜像担持体表面の帯電電位と同極性であって、その帯電電位よりも絶対値が小さくかつ静電潜像部分の電位よりも大きい現像バイアスを現像剤担持体に印加する。この構成においては、帯電電位と逆極性に帯電したトナーを用いる。よって、現像領域において現像剤担持体上の現像剤中のトナーには、潜像担持体上の画像部となる静電潜像部分（１０００Ｖに近い電位）への引力（静電力）が働く一方で、非画像部となる静電潜像部分（０Ｖに近い電位）への斥力（静電力）が働く。これにより、現像剤中のトナーは、潜像担持体表面のうち画像部となる静電潜像部分にだけ選択的に付着することができる。
【０００３】
図１２は、現像剤担持体に現像バイアスを印加するための従来の定電圧電源装置の概略構成を示す回路図である。この定電圧電源装置１００は、本定電圧電源装置１００の出力端子Ａ，Ｂ間に生じる出力電圧を規定範囲内の一定電圧に保つように定電圧制御を行う定電圧制御回路１０１を備えている。また、この定電圧電源装置１００は、直流高圧用のトランス１０２、整流用のコンデンサ１０３及びダイオード１０４なども備えている。定電圧制御回路１０１としては、例えば、９９．９ＭΩの抵抗Ｒ１と、１００ｋΩの抵抗Ｒ２とで分圧した電圧がフィードバックされると、この電圧に応じてパルス幅変調を行ったパルス信号により、トランス１０２の１次側に流れる電流をＯＮ／ＯＦＦ制御するＰＷＭ制御を行うものを用いることができる。出力端子Ａは、電圧出力対象部材としての現像剤担持体である現像ローラ４に直接接続されており、出力端子Ｂはグランドに落とされている。このような構成により、定電圧電源装置１００で発生した４００Ｖの直流電圧が、その出力端子Ａに接続された現像ローラ４に対し、現像バイアスとして印加される。
【０００４】
また、特許文献１には、感光体ドラムを一様に帯電するための帯電ローラに帯電バイアスを印加するための帯電高電圧発生回路を備えた電源装置が開示されている。この電源装置において、この帯電高電圧発生回路の出力端子は、帯電ローラに接続されている。この電源装置は、その出力端子とグランドとの間にノイズバイパスコンデンサと呼んでいるコンデンサを配置している。この電源装置によれば、帯電高電圧発生回路の出力端子に外部から高周波ノイズが印加されても、その高周波ノイズは、ノイズバイパスコンデンサからグランドに逃げることができる。
【０００５】
【特許文献１】
特開平１０−２８３２８号公報
【０００６】
【発明が解決しようとする課題】
図１２に示した従来の定電圧電源装置１００によれば、現像領域に存在する感光体ドラム８の表面部分の電位が０〜４００Ｖの範囲内で変化しても、定電圧電源装置１００の出力端子Ａの電圧は４００Ｖにコントロールされる。しかし、現像領域に存在する感光体ドラム８の表面部分の電位が４００Ｖを越えて、例えば１０００Ｖとなると、現像ローラ４に対して、感光体ドラム８から１０００Ｖの電圧が印加される場合がある。この場合、定電圧電源装置１００の出力端子Ａに印加される外部電圧１０００Ｖの方が、出力電圧４００Ｖよりも６００Ｖも高くなり、定電圧電源装置１００側から現像ローラ４に向かって出力端子Ａから流れ出す電流は「０」になる。このとき、定電圧制御回路１０１は、フィードバックされた電圧から、９９．９ＭΩの抵抗Ｒ１と、１００ｋΩの抵抗Ｒ２とで分圧した電圧が十分高いと判断する。この結果、定電圧制御回路１０１は、その出力電圧を低下させるべく、トランス１０２に流す電流を流れないようにする。しかし、この定電圧制御回路１０１の制御によりトランス１０２に流れる電流を「０」にしても、ダイオード１０４が存在するため、感光体ドラム８上における１０００Ｖになっている高電位部分の電荷は、トランス１０２を通ってグランドＧＮＤへ逃げることができない。従って、感光体ドラム８上における１０００Ｖになっている高電位部分の電荷は、現像ローラ４、出力端子Ａ、抵抗Ｒ３の経路を経て、出力端子Ｂからグランドに逃げることになる。しかし、この抵抗Ｒ３の抵抗値は７．５ＭΩと非常に高いため、感光体ドラム８上における１０００Ｖになっている高電位部分の電荷がグランドに逃げにくい。そのため、出力端子Ａの電位はなかなか４００Ｖまで落ち込まず、大きく上昇した出力電圧を規定範囲に迅速に戻すことができないという問題があった。
【０００７】
なお、仮に、上記特許文献１の電源装置を現像バイアスの印加に利用した場合、上記帯電高電圧発生回路の出力端子に印加される外部電圧１０００Ｖが高周波数のものであれば、高周波ノイズに対しては低インピーダンスであるノイズバイパスコンデンサからグランドに逃がすことはできる。なお、図１２に示した定電圧電源装置１００においても、外部電圧１０００Ｖが高周波数であれば、コンデンサ１０３がノイズバイパスコンデンサとして機能し、その高周波ノイズをグランドに逃がすことが可能である。しかし、このようなノイズバイパスコンデンサは、低周波ノイズに対しては高インピーダンスとなる。そのため、その出力端子に印加される外部電圧１０００Ｖが低周波数であると、やはり、感光体ドラム８上における１０００Ｖになっている高電位部分の電荷をグランドに逃がしにくいため、上記問題が発生する。
【０００８】
以上の説明では、現像ローラ４に現像バイアスを印加する定電圧電源装置を例に挙げて説明したが、外部電圧により大きく上昇した出力電圧を規定範囲に迅速に戻すことができないという問題は、出力端子に外部から過大な低周波電圧が印加されるおそれがあるものにおいて共通の問題である。
【０００９】
本発明は、上記問題に鑑みなされたものであり、その目的とするところは、出力端子に外部から過大な低周波電圧が印加されて大きく上昇した出力電圧を迅速に規定範囲内に戻し、安定した定電圧制御が可能な定電圧電源装置、現像装置及び画像形成装置を提供することである。
【００１０】
【課題を解決するための手段】
上記目的を達成するために、請求項１の発明は、出力端子から出力される出力電圧の絶対値を上昇させる向きに電流が流れるように整流する整流手段と、上記出力電圧の絶対値が規定範囲内に維持されるように該整流手段に流れる電流を制御する定電圧制御手段とを備えた定電圧電源装置において、上記出力端子とグランドとの間を電流が流れない非導通状態と、該出力端子と該グランドとの間を電流が流れる導通状態とに切り替わるスイッチング手段と、上記出力電圧の絶対値が規定値を上回るまでは、該スイッチング手段を非導通状態にし、上記出力電圧の絶対値が規定値を上回ったときには、該出力電圧の絶対値が許容値を下回るまで、該スイッチング手段を導通状態にする制御手段とを設けたことを特徴とするものである。
また、請求項２の発明は、出力端子から出力される出力電圧の絶対値を上昇させる向きに電流が流れるように整流する整流手段と、上記出力電圧の絶対値が規定範囲内に維持されるように該整流手段に流れる電流を制御する定電圧制御手段とを備えた定電圧電源装置において、一定時間内に上記出力端子とグランドとの間を流れる電流量の平均値を変更する電流量変更手段と、上記出力電圧の絶対値が規定値を上回ったときから該出力電圧の絶対値が許容値を下回るまでの間における該一定時間内に流れる電流量の平均値が、該出力電圧の絶対値が該規定値を上回るまでの間の該一定時間内に流れる電流量の平均値よりも高くなるように、該電流量変更手段を制御する制御手段とを設けたことを特徴とするものである。
また、請求項３の発明は、請求項２の定電圧電源装置において、上記電流量変更手段として、上記一定時間内に少なくとも１回は、上記出力端子とグランドとの間を電流が流れない非導通状態と、該出力端子と該グランドとの間を電流が流れる導通状態とに切り替わるスイッチング手段を用い、上記制御手段は、該一定期間内における該スイッチング手段の導通状態時間の長さを変更する制御を行うことを特徴とするものである。
また、請求項４の発明は、請求項３の定電圧電源装置において、上記定電圧制御手段は、上記出力電圧の絶対値に応じてパルス幅変調を行う制御部から出力されるパルス信号により上記整流手段に流れる電流をＯＮ／ＯＦＦ制御するものであり、上記一定時間は、該パルス信号のパルス周期に相当する期間であり、上記制御手段は、該パルス信号により上記スイッチング手段の制御を行うものであることを特徴とするものである。
また、請求項５の発明は、現像剤を担持して搬送する現像剤担持体と、該現像剤担持体に対して現像バイアスを印加するための定電圧電源装置とを有する現像装置において、上記定電圧電源装置として、請求項１、２、３又は４の定電圧電源装置を用いたことを特徴とするものである。
また、請求項６の発明は、像担持体と、該像担持体上に静電潜像を形成するための潜像形成手段と、該潜像形成手段により該像担持体上に形成された静電潜像を現像剤で現像する現像手段とを有する画像形成装置において、上記現像手段として、請求項５の現像装置を用いたことを特徴とするものである。
【００１１】
請求項１乃至４の電源装置、請求項５の現像装置及び請求項６の画像形成装置は、出力端子から出力される出力電圧の絶対値が規定範囲内に維持されるように制御する定電圧制御手段を備えている。また、出力端子から出力される出力電圧の絶対値を上昇させる向きに電流が流れるように整流する整流手段も備えている。定電圧制御手段は、例えば、出力電圧の絶対値が規定範囲を下回るときには出力電圧の絶対値が上昇するように整流手段に電流を流がし、出力電圧の絶対値が規定範囲を上回るときには整流手段に電流を流がさないようにして、定電圧制御を行う。このような構成においては、出力端子に上記規定範囲を上回る絶対値をもった外部電圧が印加されたとき、大きく上昇した出力端子の電位の絶対値を落とすべく、出力端子とグランドとの間で電流が流れようとする。しかし、このときに流れる電流の向きは、出力端子から出力される出力電圧の絶対値を下降させる向きであるため、この電流は整流手段に流れることはない。一方、この電流が流れるように、図１２に示した従来装置のように出力端子とグランドとの間を抵抗Ｒ３で接続する場合、その抵抗Ｒ３には出力電圧を確保するために高い抵抗値をもったものを用いる必要がある。よって、このような抵抗Ｒ３を設けても、大きく上昇した出力端子の電位の絶対値を落とすべく流れようとする電流は流れにくく、大きく上昇した出力端子の電位の絶対値を速やかに落とすことはできない。
そこで、請求項１の定電圧電源装置は、出力端子とグランドとの間を電流が流れない非導通状態と、出力端子とグランドとの間を電流が流れる導通状態とに切り替わるスイッチング手段を備えている。このスイッチング手段は、出力電圧の絶対値が規定値を上回るまでは非導通状態となる。このとき、出力端子はグランドから電気的に浮いた状態（開放状態）となり、その出力端子の出力電圧は、上記定電圧制御手段により規定範囲内に維持されるように制御される。一方、出力電圧の絶対値が規定値を上回ったときには、出力電圧の絶対値が許容値を下回るまで、スイッチング手段は導通状態になる。このようなスイッチング手段を用いれば、導通状態時の出力端子とグランドとの間の抵抗値は、図１２に示した抵抗Ｒ３のように出力電圧を確保するために高い抵抗値とする必要がなく、ずっと小さなものとすることができる。したがって、出力端子に規定値を上回る絶対値をもった外部電圧が印加されたときに流れる電流は、導通状態となったスイッチング手段を介して出力端子とグランドとの間に大量に流れ、出力電圧は急激に０Ｖに近づく。そして、その出力電圧の絶対値が許容値を下回ったとき、スイッチング手段は再び非導通状態となり、定電圧制御手段による定電圧制御が可能な状態になる。このような動作により、出力端子に外部から過大な低周波電圧が印加されて出力電圧が大きく上昇したとしても、その出力電圧を迅速に降下させることができる。
また、請求項２の定電圧電源装置においては、一定時間内に出力端子とグランドとの間を流れる電流量の平均値を変更する電流量変更手段を備えている。この電流量変更手段としては、例えば、一定時間内に少なくとも１回は出力端子とグランドとの間を導通状態と非導通状態とに切り替わるスイッチング手段を利用することができる。この場合、一定時間内における導通状態時間の長さを変更することで、その一定時間内における電流量の平均値を変更することができる。電流量変更手段は、出力電圧の絶対値が規定値を上回ったときから許容値を下回るまでの間における上記平均値が、出力電圧の絶対値がその規定値を上回るまでの間における上記平均値よりも高くなるように制御される。すなわち、出力端子に外部から過大な低周波電圧が印加されて出力電圧が出力電圧の絶対値が規定値を越えた場合、その出力電圧が許容値まで落ちるまでの上記一定時間内に流れる電流量の平均値は、定電圧制御手段による通常の定電圧制御時における上記一定時間内に流れる電流量の平均値よりも高くなる。したがって、定電圧制御手段による定電圧制御が困難となる規定値を上回る絶対値をもった外部電圧が出力端子に印加されたときに流れる電流は、定電圧制御手段による定電圧制御時よりも多く出力端子とグランドとの間を流れる。このような動作により、出力端子に外部から過大な低周波電圧が印加されて出力電圧が大きく上昇したとしても、その出力電圧を定電圧制御手段による定電圧制御時よりも速やかに降下させることができる。
なお、上記規定値は、定電圧制御手段によっては出力電圧の絶対値を迅速に規定範囲内まで降下させることが困難となるようなその絶対値に設定されるが、定電圧制御手段による定電圧制御を妨げないよう、少なくとも規定範囲の上限値以上であればよい。また、上記許容値は、出力電圧の絶対値を定電圧制御手段によって十分に規定範囲に保持できる程度のその絶対値に設定されるが、定電圧制御手段による定電圧制御を妨げないように規定範囲内に設定するのが望ましい。これらの規定値及び許容値は互いに同じ値を用いてもよく、例えば規定値及び許容値を規定範囲の上限値に設定するようにしてもよい。
【００１２】
【発明の実施の形態】
〔実施形態１〕
以下、本発明を、電子写真方式の画像形成装置に適用した一実施形態（以下、本実施形態を「実施形態１」という。）について説明する。
図２は、本実施形態１における画像形成装置の概略構成図である。この画像形成装置は、キャリア液中にトナーを分散させた液体現像剤１を用いて現像を行うものである。液体現像剤１は、図示しない濃度調整部において剤濃度（トナー濃度）が調整された後、現像装置である現像ユニット２の現像液タンク３の底方の現像液貯留部３ａに、図示しない現像液補給口を通して流入されて貯留される。この現像液貯留部３ａに貯留される液体現像剤１の液量は、その消費分に相当する量の補給用現像液が、図示しない現像液補給ボトルより随時補給されることによりほぼ一定に保たれるようになっている。
【００１３】
上記現像ユニット２の現像液タンク３内には、現像剤担持体としての現像ローラ４、及び、現像ローラ４に液体現像剤１を塗布しながら供給する塗布ローラ５が、それぞれ回転自在に配設されている。塗布ローラ５は、現像液貯留部３ａに貯留された液体現像剤１中に、その外周面の一部が浸かるように配置されている。また、塗布ローラ５は、図示しない塗布ローラモータにより、図２において矢印方向に回転駆動される。この塗布ローラ５の回転によって、塗布ローラ５の回転速度及び液体現像剤１の粘度等に依存した条件で、現像液貯留部３ａに貯留された液体現像剤１が、塗布ローラ５の周面に付着されて汲み上げられる。
【００１４】
この塗布ローラ５により汲み上げられた液体現像剤１は、塗布ローラ５に接触または近接する計量部材または規制部材６で、狙いの塗布厚に調整された後、現像ローラ４の周面に薄層状に塗布される。これにより、現像ローラ４の表面に、所定の層厚の現像剤薄層が形成される。この現像剤薄層の層厚は、感光体ドラム８に付着するトナー分が記録媒体である転写紙１３に転写された際に、充分な画像濃度が得られる層厚に形成される。
【００１５】
現像ローラ４は、感光体ドラム８の表面に近接するように対向配置されることによって、感光体ドラム８との対向部位に現像領域を形成している。感光体ドラム８は、図示しない駆動系を介して、図２において矢印方向に所定の速度で回転駆動される。感光体ドラム８の表面は、一様帯電手段である帯電ローラ９により例えば７００Ｖの一様な電位に帯電された後、潜像形成手段としての露光装置１０によって画像形成される画像パターンに応じて露光される。露光された部分は５０Ｖ程度まで電位が落とされ、この部分が静電潜像となる。
【００１６】
現像ローラ４は、感光体ドラム８の線速と同速で、図２において矢印方向に移動する。そして、この現像ローラ４の移動により、現像ローラ４の表面に形成された現像剤薄層が現像領域において感光体ドラム８の表面に接触する。このとき、現像ローラ４には後述する定電圧電源装置としての高圧電源装置３０によって４００Ｖの現像バイアスが印加され、現像領域に現像電界が形成される。この現像電界により、現像剤薄層中に含まれた固形分のトナーが、現像剤薄層のキャリア液中を移動し、感光体ドラム８の表面に形成された静電潜像に付着する。その結果、感光体ドラム８の表面に形成された静電潜像が、現像剤薄層中のトナーにより顕像化されて、感光体ドラム８の表面にトナー像が形成される。なお、感光体ドラム８側に移動することなく現像領域を通過した余剰の現像剤薄層は、現像ローラクリーニングブレード１１により現像ローラ４上から掻き落とされて、現像液貯留部３ａに回収される。
【００１７】
このようにしてトナー像が形成されると、感光体ドラム８の回転に同期し且つ所定のタイミングをとって、給紙カセット１２内の転写紙１３が、給紙ローラ１４及び分離ローラ１５の回転により、転写領域に向けて一枚だけ給紙される。この転写領域は、感光体ドラム８の表面に対して接離自在に配設された転写ローラ１６と感光体ドラム８とのニップで形成されている。そして、このニップを転写紙１３が通過することにより、転写領域の電界の作用によって、感光体ドラム８の表面に顕像化されたトナー像が転写紙１３上に転写される。そして、転写紙１３に転写されたトナー像が定着装置１７により定着された後、転写紙１３は、図示しない排紙ローラにより排紙トレイ上に排紙される。なお、転写領域において転写紙１３に転写されることなく感光体ドラム８の表面に残留したトナー像は、感光体ドラムクリーニングブレード２０により掻き落とされて、感光体ドラムクリーニング装置２１内に回収される。
【００１８】
次に、本発明の特徴部分である高圧電源装置３０の構成及び動作について説明する。なお、本実施形態１において記載する数値は、あくまでも説明を容易にすべく例示したものであり、その値に限定されるものではない。
図１は、本実施形態１における高圧電源装置３０の概略構成を示す回路図である。この高圧電源装置３０は、出力電圧の絶対値が規定範囲内に維持されるように制御する定電圧制御手段としての定電圧制御回路１０１を備えている。この定電圧制御回路１０１は、出力端子Ａの出力電圧の絶対値に応じてパルス幅変調を行うＰＷＭ制御部から出力されるＰＷＭ出力（パルス信号）を、スイッチング機能を有するバイポーラトランジスタＱ１のベース端子に入力することでトランジスタＱ１をＯＮ／ＯＦＦ制御する。これにより、トランス１０２の１次側に流れる電流を制御し、定電圧制御を行う。
また、高圧電源装置３０は、直流高圧用のトランス１０２、平滑用コンデンサ１０３、整流手段としてのダイオード１０４、２４Ｖの電圧供給源１０５なども備えている。トランス１０２の１次側に電流が流れると、トランス１０２の２次側にも電流が流れ、出力端子Ａから出力される出力電圧の絶対値を上昇させる向きにダイオード１０４を電流が流れる。また、トランス１０２の１次側に電流が流れないと、ダイオード１０４には出力端子Ａから出力される出力電圧の絶対値を上昇させる向きに電流が流れることはない。したがって、定電圧制御回路１０１は、ダイオード１０４を流れる電流を制御して定電圧制御を行うものである。
【００１９】
次に、定電圧制御回路１０１による定電圧制御の動作について説明する。
図３は、高圧電源装置３０を構成する回路の各部における電圧又は電流を示すグラフである。図示の各グラフは、出力端子Ａから出力される出力電圧、ＰＷＭ制御部に入力されるフィードバック電圧、ＰＷＭ制御部からトランジスタＱ１のベース端子に出力されるＰＷＭ出力、トランス１０２の１次側の電流、及び、抵抗Ｒ３を流れる電流をそれぞれ示している。
【００２０】
ＰＷＭ制御部から出力されるＰＷＭ出力がＨレベル（５Ｖ）のとき、トランジスタＱ１はＯＮ状態となり、トランジスタＱ１のエミッタ−コレクタ間が導通状態になる。よって、電圧供給源１０５から入力端子Ｃに電圧が印加されているときには、トランス１０２の１次側に電流が流れる。これによりトランス１０２の２次側に現れる電圧が出力端子Ａに印加される。このようにして出力端子Ａから出力される電圧（出力電圧）は、現像バイアスとして現像ローラ４に印加される。また、この出力電圧を９．９ＭΩの抵抗Ｒ１と１００ｋΩの抵抗Ｒ２とで分圧（約１／１００）したものが、定電圧制御回路１０１のＰＷＭ制御部にフィードバックされる。ＰＷＭ制御部は、このフィードバックされた電圧に応じて、１０μｓ周期をもつ基本パルスのパルス幅変調を行ってそのデューティ比を変更し、変調後のパルス信号をＰＷＭ出力としてトランジスタＱ１に入力する。ＰＷＭ制御部では、フィードバック電圧が所定の設定値より小さいときにはＰＷＭ出力のＨレベルの時間が長くなるようにパルス幅変調を行い、所定の設定値より大きいときにはＰＷＭ出力のＨレベルの時間が短くなるようにパルス幅変調を行う。これにより、フィードバック電圧が所定の設定値より小さいときには、ＰＷＭ出力の１サイクル中におけるトランジスターのＯＮ状態となる期間の割合が増え、所定の設定値より大きいときにはその割合が減ることになる。その結果、出力電圧は図示のように、３９７．５Ｖ以上４０２．５Ｖ以下の規定範囲内に定電圧制御される。
【００２１】
ここで、現像ローラ４に対して、感光体ドラム８から１０００Ｖの低周波電圧が印加された場合について説明する。なお、現像ローラ４自体の抵抗値は小さいので無視するものとする。
図４は、感光体ドラム８から１０００Ｖの電圧が現像ローラ４に印加されたときの高圧電源装置３０を構成する回路の各部における電圧又は電流を示すグラフである。感光体ドラム８から１０００Ｖの電圧が現像ローラ４に印加されると、出力端子Ａの出力電圧は、通常時よりも６００Ｖも引き上げられて１０００Ｖになる。このとき、ＰＷＭ制御部にフィードバックされる電圧も１０Ｖと高いものとなるため、ＰＷＭ制御部は、出力電圧を急激に低下させるべく、ＰＷＭ出力のＨレベルの時間が非常に短くなるようにパルス幅変調を行う。具体的には、通常の定電圧制御時では６μｓであったＨレベルの時間が１μｓとなるようにパルス幅変調を行う。そのため、ＰＷＭ出力の１サイクル中におけるトランジスタＱ１のＯＮ状態となる期間はほとんどなくなる。その結果、トランス１０２の１次側にはほとんど電流が流れない。このとき、感光体ドラム８上における１０００Ｖになっている高電位部分の電荷は、ダイオード１０４が存在するためにトランス１０２を通ってグランドＧＮＤへ逃げることができない。また、抵抗Ｒ１及び抵抗Ｒ２を通る経路もその合成抵抗値が１０ＭΩと高いため、この経路を経てグランドＧＮＤへ逃げることもできない。したがって、出力端子Ａの電位はなかなか４００Ｖまで落ち込まない。
【００２２】
そこで、本実施形態１では、ＰＷＭ出力の１サイクル中における出力端子ＡとグランドＧＮＤとの間を流れる電流量の平均値を変更する電流量変更手段を備えている。具体的には、この電流量変更手段は、出力端子ＡとグランドＧＮＤとの間を電流が流れない非導通状態と、出力端子ＡとグランドＧＮＤとの間を電流が流れる導通状態とに切り替わるスイッチング手段としてのバイポーラトランジスタＱ２によって構成されている。このトランジスタＱ２のコレクタ端子は、抵抗Ｒ３を介して出力端子Ａに接続されており、エミッタ端子は出力端子Ｂを介してグランドＧＮＤに接続されている。また、このトランジスタＱ２のベース端子は、ＮＯＴ回路３１を介してＰＷＭ制御部のＰＷＭ出力端子に接続されている。よって、トランジスタＱ２のベース端子には、ＰＷＭ出力がＨレベルのときにＬレベルが入力され、ＰＷＭ出力がＬレベルのときにＨレベルが入力される。すなわち、トランジスタＱ２は、定電圧制御回路１０１のトランジスタＱ１とは反対の動作を行うことになる。したがって、出力端子ＡとグランドＧＮＤとをつなぐ抵抗Ｒ３を流れる電流は、図３及び図４に示すように、トランス１０２に電流が流れるときには流れず、トランス１０２に電流が流れないときには流れることになる。
【００２３】
本実施形態１において、ＰＷＭ制御部のＰＷＭ出力がＬレベルのとき、出力端子Ａを流れる電流の経路は、１つは、出力端子Ａ、現像ローラ４、感光体ドラム８、グランドＧＮＤの経路αであり、もう１つは、出力端子Ａ、抵抗Ｒ３、トランジスタＱ２、グランドＧＮＤの経路βである。このうち、後者の経路βにおいて、通常の定電圧制御時では、図３に示すように、ＰＷＭ出力の１サイクル中におけるＯＮ状態の期間とＯＦＦ状態の期間の割合が２：３となるようにトランジスタＱ２がＯＮ／ＯＦＦ制御される。本実施形態１のように抵抗Ｒ３に８００ｋΩの抵抗値をもつものを用いた場合、１サイクル中に上記経路βを流れる電流量の平均値は、およそ０．２ｍＡ｛４００Ｖ／８００ｋΩ×（４／１０）｝となる。一方、感光体ドラム８から１０００Ｖの電圧が現像ローラ４に印加されたとき、トランジスタＱ２は、図４に示すように、ＰＷＭ出力の１サイクル中におけるＯＮ状態の期間とＯＦＦ状態の期間の割合が９：１となるようにＯＮ／ＯＦＦ制御される。よって、このときの１サイクル中に上記経路βを流れる電流量の平均値は、およそ１．１２５ｍＡ｛１０００Ｖ／８００ｋΩ×（９／１０）｝となる。
【００２４】
したがって、本実施形態１では、出力電圧が１０００Ｖまで引き上げられたときに、出力端子Ａから抵抗Ｒ３を介してグランドＧＮＤに流れる電流量の平均値（１．１２５ｍＡ）は、通常の定電圧制御時における電流量の平均値（０．２ｍＡ）よりも高くなる。よって、出力電圧が１０００Ｖまで引き上げられても、その出力電圧は速やかに４００Ｖに向かって落とされる。そして、規定範囲内まで落とされると、定電圧制御回路によって通常の定電圧制御が行われる。
なお、本実施形態１では、上記経路β上に設けられる抵抗Ｒ３として抵抗値が８００ｋΩのものを用いているが、この抵抗Ｒ３の抵抗値は、経路βによりどれだけの電流を吸収するかに応じて適宜設定する。
【００２５】
また、本実施形態１においては、定電圧制御回路１０１のトランジスタＱ１のＯＮ／ＯＦＦ動作とトランジスタＱ２のＯＮ／ＯＦＦ動作は互いに連動している。すなわち、出力電圧の絶対値が規定範囲を上回ってトランジスタＱ１がＯＦＦ状態となっているとき、トランジスタＱ２はＯＮ状態になっている。よって、本実施形態１によれば、通常の定電圧制御時においても、出力電圧の絶対値を降下させるスピードが高まるという効果が得られる。この結果、本実施形態１のようにＰＷＭ制御のパルス周期を１０μｓと短いものとすることが可能となり、より正確な定電圧制御が可能となる。
【００２６】
なお、本実施形態１では、トランジスタＱ２に定電圧制御回路１０１のトランジスタＱ１と同じＮＰＮ形のバイポーラトランジスタを用いているため、定電圧制御回路１０１からのＰＷＭ出力をＮＯＴ回路３１によって反転させてから、トランジスタＱ２のベース端子に入力する構成としている。しかし、図５に示すように、トランジスタＱ２の代わりに、ＰＮＰ形のバイポーラトランジスタを用いれば、ＮＯＴ回路３１が不要となる。
また、本実施形態１では、出力端子Ａからプラス極性の出力電圧を出力してプラス極性の現像バイアスを印加する場合について説明したが、出力端子Ａからマイナス極性の出力電圧を出力してマイナス極性の現像バイアスを印加する構成であっても、同様である。この場合、例えば、図６に示すような回路構成を採用することができる。
また、本実施形態１では、電流量変更手段を構成するスイッチング手段として、バイポーラトランジスタＱ２を用いる場合について説明したが、図７に示すように、トランジスタＱ２に代えて、電界効果トランジスタ（ＦＥＴ）Ｑ４を利用しても同様の効果を得ることができる。
【００２７】
また、本実施形態１では、トランジスタＱ２を飽和領域で動作させてパルス信号によりＯＮ／ＯＦＦ制御を行う場合であったが、例えば、図８に示すように、定電圧制御回路１０１のＰＷＭ制御部に入力されるフィードバック電圧に応じてトランジスタＱ２を非飽和領域で動作させるようにしてもよい。この場合、パルス信号によってＯＮ／ＯＦＦ制御する場合に比べてリップルの少ない制御が可能となる。この場合、例えば図９に示すように、定電圧制御回路１０１とは独立してトランジスタＱ２を制御しても、同様にリップルの少ない制御を行うことが可能となる。しかし、このようにトランジスタＱ２を非飽和領域で動作させると、上記実施形態１のようにパルス信号によって動作させる場合に比べて電力損失が大きくなり、トランジスタＱ２の発熱量が増大する。よって、リップルと発熱とを比較考量してどちらの方式にするかは適宜選択するのが望ましい。
【００２８】
また、本実施形態では、現像装置の現像ローラ４を電圧出力対象部材とし、これに現像バイアスを印加する電源装置について説明したが、画像形成装置に設けられる帯電ローラ９、転写ローラ１６等を電圧出力対象部材とし、これに帯電バイアスや転写バイアス等を印加する電源装置にも同様に適用することができる。
また、本実施形態では、画像形成装置に設けられる電源装置について説明したが、外部電圧により本来の出力電圧が失われて出力電圧が変動するおそれのある電源装置であれば、どのような技術分野であっても適用することが可能である。また、本実施形態では、液体現像剤を用いた画像形成装置について説明したが、乾式現像剤を用いた画像形成装置でも同様である。
【００２９】
〔変形例〕
次に、上記実施形態１における高圧電源装置の変形例について説明する。上記実施形態１では、トランジスタＱ２をＯＮ／ＯＦＦ制御するための制御手段として、定電圧制御回路１０１のＰＷＭ制御部から出力されるＰＷＭ出力の反転信号を利用する場合について説明したが、本変形例では、定電圧制御回路１０１とは独立した専用の制御部を利用する。
【００３０】
図１０は、本変形例における高圧電源装置１３０の概略構成を示す回路図である。この高圧電源装置１３０は、トランジスタＱ２をＯＮ／ＯＦＦ制御するための制御手段として、定電圧制御回路１０１とは独立した専用の制御部１３２を備えている。この制御部としては、定電圧制御回路１０１のＰＷＭ制御部と同様に、出力端子Ａの出力電圧の絶対値に応じてパルス幅変調を行うものであってもよいが、本変形例では、出力電圧の絶対値が規定値を上回るまではトランジスタＱ２をＯＦＦ状態にし、出力電圧の絶対値が規定値を上回ったときにはその出力電圧の絶対値が許容値を下回るまでトランジスタＱ２をＯＮ状態にする制御信号を出力するものを用いている。
【００３１】
本変形例の制御部には、１又は２以上の比較回路によって構成されている。具体的に説明すると、制御部には、定電圧制御回路１０１のＰＷＭ制御部と同様に、出力電圧を９．９ＭΩの抵抗Ｒ１と１００ｋΩの抵抗Ｒ２とで分圧（約１／１００）したものがフィードバックされる。そして、そのフィードバックされた電圧と規定値とを比較し、そのフィードバック電圧が規定値を越えたとき、Ｈレベルの制御信号を出力する。このＨレベルの制御信号がトランジスタＱ２のベース端子に入力されると、トランジスタＱ２のエミッタ−コレクタ間が導通状態になる。その後、制御部は、フィードバック電圧が許容値を下回るまでＨレベルの制御信号を出力し続け、フィードバック電圧が許容値を下回ったとき、その制御信号はＬレベルに切り替わる。これにより、出力端子はグランドから電気的に浮いた状態（開放状態）となり、その出力端子の出力電圧は、定電圧制御回路１０１により規定範囲内に維持されるように制御される。
【００３２】
以上、本変形例によれば、定電圧制御回路１０１の動作とは無関係にトランジスタＱ２のＯＮ／ＯＦＦ制御ができるので、上記規定値及び上記許容値の設定値の自由度を高めることができる。これにより、例えば、出力電圧が何Ｖ以上になったらトランジスタＱ２をＯＮ状態にして電流が流れるようにするか、出力電圧が何Ｖ以下まで落ちたらトランジスタＱ２をＯＦＦ状態にして通常の定電圧制御の状態に戻すかを、定電圧制御回路１０１の動作に依存することなく設定することができる。
【００３３】
〔実施形態２〕
次に、本発明を、５Ｖの低圧電源装置に適用した一実施形態（以下、本実施形態を「実施形態２」という。）について説明する。
図１１（ａ）は、従来の低圧電源装置２３０の概略構成を示す回路図である。図１１（ｂ）は、本実施形態２における低圧電源装置３３０の概略構成を示す回路図である。これらの低圧電源装置２３０，３３０は、出力端子Ａ，Ｂ間に５Ｖの定電圧を出力するドロッパー式の電源装置である。これらの低圧電源装置２３０，３３０では、定電圧制御手段として、ＰＷＭ制御部及びトランジスタＱ１を備えた定電圧制御回路１０１は用いず、ツェナーダイオード２３３を用いた定電圧制御回路２０１を用いる。また、低圧電源装置２３０，３３０は、整流手段としてのダイオード１０４、８Ｖの電圧供給源２０５なども備えている。このような低圧電源装置２３０，３３０は、入力端子Ｃ，Ｄ間の入力電圧が８Ｖから変動しても、定電圧制御回路２０１のトランジスタＱ５のベース電圧は、ツェナーダイオード２３３によって６．４Ｖの一定電圧に保たれる。このベース電圧は、ベース−エミッタ間で約０．６Ｖだけ電圧降下し、更にダイオード１０４で約０．８Ｖだけ電圧降下し、出力端子Ａに印加される。よって、出力端子Ａからは５Ｖの一定電圧が出力される。
【００３４】
ここで、出力端子Ａが外部からの過大な低周波電圧により５．５Ｖまで引き上げられたとする。このとき、図１１（ａ）に示す従来の低圧電源装置２３０では、出力端子Ａにおける電荷が、ダイオード１０４等が存在するために低圧電源装置３３０の内部回路経由ではグランドＧＮＤへ逃げることができない。したがって、出力端子Ａの電位はなかなか５Ｖまで落ち込まない。
【００３５】
一方、図１１（ｂ）に示す本実施形態２の低圧電源装置３３０においては、出力端子Ａが５．５Ｖに引き上げられても、トランジスタＱ２をＯＮ状態にして、上昇した出力電圧を速やかに規定範囲（５Ｖ）に戻すことができる。具体的に説明すると、まず、出力電圧が５Ｖであるとき、ＯＰアンプＱ６のプラス入力端子には５Ｖが印加される。一方、マイナス入力端子には４．９Ｖが入力されるようにボリュームＶＲが調整されている。抵抗Ｒ５及び抵抗Ｒ６の比率より、ＯＰアンプＱ６の増幅度は１０倍となっている。よって、ＯＰアンプＱ６の出力端子電圧は１Ｖ｛（５Ｖ−４．９Ｖ）×１０｝になる。このＯＰアンプＱ６の出力端子電圧は、トランジスタＱ２のベース端子に印加される。トランジスタＱ２のベース−エミッタ間では約０．６Ｖの電圧降下が生じるため、そのベース電流（抵抗Ｒ７に流れる電流）は、０．４ｍＡ｛（１Ｖ−０．６Ｖ）／１ｋΩ｝になる。その結果、電流増幅度が１００であるトランジスタＱ２においては、抵抗Ｒ４を流れる電流、すなわち、トランジスタＱ２を介して出力端子ＡとグランドＧＮＤとの間を流れる電流は、４０ｍＡと小さな電流しか流れない。
【００３６】
そして、出力端子Ｓに外部から５．５Ｖが印加されると、ＯＰアンプＱ６のプラス入力端子には、５．５Ｖが入力される。このとき、マイナス入力端子には４．９Ｖが入力されているので、ＯＰアンプの出力端子電圧は６Ｖ｛（５．５Ｖ−４．９Ｖ）×１０｝になる。そうすると、トランジスタＱ２のベース−エミッタ間では約０．６Ｖの電圧降下が生じる結果、そのベース電流（抵抗Ｒ７に流れる電流）は、５．４ｍＡ｛（６Ｖ−０．６Ｖ）／１ｋΩ｝になる。したがって、電流増幅度が１００であるトランジスタＱ２においては、抵抗Ｒ４を流れる電流は５４０ｍＡとなり、５Ｖの一定電圧時における４０ｍＡに比べて１０倍以上の大きい電流が、トランジスタＱ２を介して出力端子ＡとグランドＧＮＤとの間を流れることになる。この電流により、出力端子は急速に５Ｖに向かって低下する。なお、本実施形態２において記載した数値は、あくまでも説明を容易にすべく例示したものであり、その値に限定されるものではない。
【００３７】
以上、上記実施形態１及び上記実施形態２における定電圧電源装置３０，１３０，３３０は、出力端子Ａから出力される出力電圧の絶対値を上昇させる向きに電流が流れるように整流する整流手段としてのダイオード１０４を備えている。また、出力電圧の絶対値が上記実施形態１では３９７．５Ｖ以上４０２．５Ｖ以下、上記実施形態２では５Ｖの規定範囲内に維持されるようにダイオード１０４に流れる電流を制御する定電圧制御手段としての定電圧制御回路１０１，２０１を備えている。
そして、上記変形例１で説明した電源装置１３０においては、出力端子ＡとグランドＧＮＤとの間を電流が流れない非導通状態であるＯＦＦ状態と、出力端子ＡとグランドＧＮＤとの間を電流が流れる導通状態であるＯＮ状態とに切り替わるスイッチング手段としてのトランジスタＱ２を備えている。このトランジスタＱ２は、制御手段としての制御部１３２により、出力電圧の絶対値が４０２．５Ｖ以上で適宜設定される規定値を上回るまではＯＦＦ状態にし、出力電圧の絶対値がその規定値を上回ったときには出力電圧の絶対値が４００Ｖ周辺で適宜設定される許容値を下回るまではＯＮ状態となる。したがって、出力端子Ａに規定値を上回る絶対値をもった外部電圧が印加されたときに流れる電流は、ＯＮ状態となったトランジスタＱ２を介して出力端子ＡとグランドＧＮＤとの間に大量に流れ、出力電圧は急激に０Ｖに近づく。そして、その出力電圧の絶対値が許容値を下回ったとき、トランジスタＱ２は再びＯＦＦ状態となり、定電圧制御回路１０１による定電圧制御が可能な状態になる。このような動作により、出力端子Ａに感光体ドラムから例えば１０００Ｖという過大な低周波電圧が印加され、出力電圧が大きく上昇したとしても、その出力電圧を迅速に４００Ｖに向かって降下させることができる。
一方、上記実施形態１の電源装置３０においては、ＰＷＭ制御のパルス周期に相当する時間である一定時間内に、出力端子ＡとグランドＧＮＤとの間を流れる電流量の平均値を変更する電流量変更手段としてトランジスタＱ２を備えている。このトランジスタＱ２は、制御手段としてのＰＷＭ制御部により、パルス幅変調されたＰＷＭ出力に応じて、出力電圧の絶対値が規定値である４０２．５Ｖを上回ったときから出力電圧の絶対値が許容値である３９７．５Ｖを下回るまでの間における上記一定時間内に流れる電流量の平均値が、出力電圧の絶対値がその規定値を上回るまでの間の上記一定時間内に流れる電流量の平均値よりも高くなるように制御されている。これにより、定電圧制御回路１０１による定電圧制御が困難となる規定値を大きく上回る絶対値をもった外部電圧が出力端子Ａに印加されたときに流れる電流は、定電圧制御回路１０１による定電圧制御時よりも多く出力端子ＡとグランドＧＮＤとの間を流れることになる。このような動作により、出力端子Ａに感光体ドラムから例えば１０００Ｖという過大な低周波電圧が印加され、出力電圧が大きく上昇したとしても、その出力電圧を迅速に４００Ｖに向かって降下させることができる。この効果は、上記実施形態２の電源装置３３０でも同様に得ることができる。すなわち、電源装置３３０は、一定時間内に出力端子ＡとグランドＧＮＤとの間を流れる電流量の平均値を変更する電流量変更手段として、上記実施形態と同様にトランジスタＱ２を備えている。そして、このトランジスタＱ２は、制御手段としてのＯＰアンプＱ６により、その出力端子電圧値の変化に応じて、出力電圧の絶対値が規定値である５Ｖを上回ったときから出力電圧の絶対値が許容値である５Ｖを下回るまでの間における電流量の平均値が、出力電圧の絶対値がその規定値を上回るまですなわち出力電圧の絶対値が５Ｖの間における電流量の平均値よりも高くなるように制御されている。これにより、上記実施形態１の場合と同様に、出力端子Ａに例えば５．５Ｖという過大な低周波電圧が印加され、出力電圧が大きく上昇したとしても、その出力電圧迅速に５Ｖに向かって降下させることができる。
特に、上記実施形態１のように、上記トランジスタＱ２のように、上記一定時間内に少なくとも１回はＯＮ状態とＯＦＦ状態とに切り替わるスイッチング手段を用い、かつ、その一定期間内におけるトランジスタＱ２のＯＮ状態時間の長さを変更するように制御するものであれば、ＰＷＭ制御を利用してトランジスタＱ２を動作させることが可能となる。
また、上記定電圧制御回路１０１を、出力電圧の絶対値に応じてパルス幅変調を行う制御部としてのＰＷＭ制御部から出力されるパルス信号であるＰＷＭ出力によりダイオード１０４に流れる電流をＯＮ／ＯＦＦ制御するものし、上記一定時間がそのＰＷＭ出力のパルス周期に相当する期間とし、そのＰＷＭ出力によりトランジスタＱ２の制御を行えば、ＰＷＭ制御を利用した一般的な定電圧電源装置のＰＷＭ出力を利用してトランジスタＱ２を動作させることができる。よって、トランジスタＱ２のＯＮ／ＯＦＦ制御を行う独立した専用の制御手段を設ける必要がなくなり、低コスト化を図ることができる。
また、上記実施形態１の画像形成装置では、上述した効果を有する電源装置３０，１３０を、現像剤を担持して搬送する現像剤担持体としての現像ローラ４に対して現像バイアスを印加するための定電圧電源装置として用いている現像装置としての現像ユニット２を備えている。また、上記実施形態２の電源装置３３０と同様の構成を有する電源装置も同様に用いることは可能である。よって、感光体ドラム８から例えば１０００Ｖという過大な低周波電圧が現像ローラ４に印加された場合であっても、現像ローラ４の電圧を速やかに通常の４００Ｖまで落とすことができ、現像バイアスを安定化することができる。
【００３８】
【発明の効果】
請求項１乃至６の発明によれば、出力端子に外部から過大な低周波電圧が印加されて大きく上昇した出力電圧を迅速に規定範囲内に戻し、安定した定電圧制御が可能となるという優れた効果がある。
【図面の簡単な説明】
【図１】実施形態１に係る画像形成装置に設けられる現像装置の現像ローラに現像バイアスを印加する高圧電源装置の概略構成を示す回路図。
【図２】同画像形成装置の概略構成図。
【図３】同高圧電源装置を構成する回路の各部における電圧又は電流を示すグラフ。
【図４】感光体ドラムから１０００Ｖの電圧が現像ローラに印加されたときの同高圧電源装置を構成する回路の各部における電圧又は電流を示すグラフ。
【図５】定電圧制御回路のトランジスタと異なるＰＮＰ形のバイポーラトランジスタを利用した高圧電源装置の構成を示す回路図。
【図６】マイナス極性の現像バイアスを印加する場合の高圧電源装置の構成の一例を示す回路図。
【図７】バイポーラトランジスタの代わりにＦＥＴを利用した高圧電源装置の構成を示す回路図。
【図８】トランジスタを非飽和領域で動作させる高圧電源装置の構成の一例を示す回路図。
【図９】トランジスタを非飽和領域で動作させる高圧電源装置の構成の他例を示す回路図。
【図１０】変形例１における高圧電源装置の概略構成を示す回路図。
【図１１】（ａ）は、従来の低圧電源装置の概略構成を示す回路図。
（ｂ）は、実施形態２における低圧電源装置の概略構成を示す回路図。
【図１２】従来の高圧電源装置の一例を示す回路図。
【符号の説明】
１  液体現像剤
２  現像ユニット
４  現像ローラ
５  塗布ローラ
８  感光体ドラム
９  帯電ローラ
１０  露光装置
１６  転写ローラ
１７  定着装置
３０，１３０  高圧電源装置
１０１，２０１  定電圧制御回路
１０４  ダイオード
１０５，２０５  電圧供給源
１３２  制御部
２３３  ツェナーダイオード
２３０，３３０  低圧電源装置
Ｑ１，Ｑ２，Ｑ３，Ｑ４，Ｑ５  トランジスタ
Ｑ６  ＯＰアンプ
ＶＲ  ボリューム
【図１】
2004282927.tif 000003
【図２】
2004282927.tif 000004
【図３】
2004282927.tif 000005
【図４】
2004282927.tif 000006
【図５】
2004282927.tif 000007
【図６】
2004282927.tif 000008
【図７】
2004282927.tif 000009
【図８】
2004282927.tif 000010
【図９】
2004282927.tif 000011
【図１０】
2004282927.tif 000012
【図１１】
2004282927.tif 000013
【図１２】
2004282927.tif 000014